(57)【要約】      （修正有）【課題】正確な最低血圧測定値が得られる自動血圧測定装置を提供する。【解決手段】自動血圧測定装置によれば、収縮期末期圧よりも低い圧迫圧の区間で逐次得られたカフ容積脈波ＰＶＲから収縮期時相波ＰＶＲｓｙｓをそれぞれ差し引くことによりカフ容積脈波ＰＶＲに含まれる拡張期合成波ＰＶＲｄｉａをそれぞれ抽出し、それら拡張期合成波ＰＶＲｄｉａの振幅に基づいて生体の最低血圧値が算出されることから、その最低血圧値の決定にはカフ容積脈波ＰＶＲに含まれる収縮期時相波ＰＶＲｓｙｓの影響を受けないので、最低血圧値について高い測定精度が得られる。【選択図】図１４
2015198740.tif 000002
【特許請求の範囲】
【請求項１】
生体の一部に巻回されて該生体の一部に対する圧迫圧を低下させる圧迫帯を備え、該圧迫帯の圧迫圧を低下させる過程で得られた該圧迫圧を表わすカフ圧信号に含まれる、該生体の脈拍に同期する交流成分であるカフ容積脈波に基づいて該生体の最低血圧値を測定する自動血圧測定装置であって、
前記カフ容積脈波のうち前記カフ圧が前記生体の収縮期末期圧であるときのカフ容積要請脈波である収縮期末期圧容積脈波またはそれに連なる１つの容積脈波を基準波とし、前記カフ圧が前記生体の収縮期末期圧以下であるときに順次得られる各カフ容積脈波の該カフ容積脈波に含まれる反射波の重畳開始点の振幅と同等となるように前記基準波を調整した収縮期時相波を、それぞれ生成する収縮期時相波生成部と、
カフ圧が前記生体の収縮期末期圧以下であるときに順次得られる各カフ容積脈波の波形から前記それぞれ生成された収縮期時相波の波形を差し引くことにより拡張期合成波をそれぞれ生成する拡張期合成波生成部と、
前記生成された拡張期合成波の振幅に基づいて前記生体の最低血圧値を決定する最低血圧値決定部と
を、含むことを特徴とする自動血圧測定装置。
【請求項２】
血圧測定中の脈波の平均周期の間隔の移動平均処理を行なうローパスフィルタ処理を施すことで前記カフ圧信号から前記生体野一部への圧迫圧力であるＤＣ成分を抽出し、前記カフ圧信号とＤＣ成分との差分を求めることで前記カフ圧容積脈波を生成するカフ容積脈波生成部と、
前記連続するカフ圧容積脈波の収縮期波下降脚の変曲点に対応して生じる一次微分波形の負の極小値が最小となったときのカフ圧力を前記収縮期末期圧として決定する収縮期末期圧決定部と
を、さらに含むことを特徴とする請求項１の自動血圧測定装置。
【請求項３】
前記収縮期末期圧決定部は、共通の時間軸上において、前記カフ容積脈波の一次微分波形の変曲点の検出を二次微分波形の極小点により決定し、上記二次微分波形の負の極小点に対応したカフ容積脈波の振幅値が、上記カフ容積脈波の最大振幅の５０［％］を超えたときのカフ圧を前記収縮期末期圧として決定する
ことを特徴とする請求項２の自動血圧測定装置。
【請求項４】
前記収縮期時相波生成部は、
前記収縮期末期圧より低いカフ圧力で得られたカフ容積脈波の上昇脚から頭頂部にかけての二次微分波の正から負に向かう零クロス点で且つ一次微分波の極小点に対応する、上記カフ容積脈波の変曲点を反射波重畳開始点として決定する反射波重畳開始点決定部と、
前記収縮期末期圧より低いカフ圧力で得られたカフ容積脈波と前記基準波とを共通の時間軸上でそれらの立上がり開始点を一致させたときの、前記収縮期時相波の基準波の最大振幅時刻より遅れて上記反射波重畳開始点がある場合にはその基準波の最大振幅値をＡＥＳＢＰとし、その時刻のカフ容積脈波振幅をＡＰＶＲとし、前期反射波重畳開始点が基準波の最大振幅時刻より前の脈波上昇脚に存在する場合には、そのカフ容積脈波の前記反射波重畳開始点における振幅値をＡＰＶＲとし、上記基準波の前記反射波重畳開始点における振幅値をＡＥＳＢＰとして、その振幅比Ａｒａｔｉｏ（＝ＡＰＶＲ／ＡＥＳＢＰ）を求め、その振幅比Ａｒａｔｉｏを前記基準波に乗算することで前記収縮期時相波を生成する基準波補正部と
を、含むことを特徴とする請求項１乃至３のいずれか１の自動血圧測定装置。
【請求項５】
前記拡張期合成波生成部は、前記共通の時間軸上で、カフ圧力が前記生体の収縮期末期圧以下であるときに順次得られる前記カフ容積脈波の振幅から、それぞれについて生成された前記収縮期時相波の振幅をそれぞれ差し引くことで、それぞれの拡張期合成波がカフ圧の降下過程で順次生成することを特徴とする請求項１乃至４のいずれか１の自動血圧測定装置。
【請求項６】
前記最低血圧値決定部は、前記拡張期合成波生成部により生成された一連の拡張期合成波のうちの最大振幅を示す拡張期合成波の１つ前の拡張期合成波に対応するカフ圧を最低血圧値として決定することを特徴とする請求項１乃至５のいずれか１の自動血圧測定装置。
【請求項７】
前記カフ圧の降下期間において逐次得られるカフ容積脈波と前記収縮期末期圧より低いカフ圧力ではカフ容積脈波にそれぞれ含まれる収縮期時相波からなる容積脈波の振幅値を結ぶエンベロープの変曲点付近、或いは収縮期時相波の振幅をその最大脈振幅値で正規化した振幅比が所定の振幅比となる脈波に対応したカフ圧力を最高血圧値として決定する最高血圧値決定部を、さらに含むことを特徴とする請求項１乃至６のいずれか１の自動血圧測定装置。
【発明の詳細な説明】
【技術分野】
【０００１】
本発明は、腕、足首のような生体の一部である被圧迫部位内の抹消動脈から発生する脈波を検出するためにその被圧迫部位に巻回される圧迫帯を備えた自動血圧測定装置に関するものである。
【背景技術】
【０００２】
生体の血圧値等の生体の循環器情報は、生体の動脈からその拍動に同期して発生する脈波をその生体の被圧迫部位に巻回された圧迫帯内の圧力振動として検出し、その脈波の大きさの予め設定された変化状態となったときのその圧迫帯の圧迫圧力に基づいて測定される。このような間接血圧測定は、オシロメトリック法或いはカフ振動法として知られている。このようなオシロメトリック法では、圧迫帯の圧迫圧力の連続的変化に伴ってカフに発生する圧力振動であるカフ容積脈波の大きさが増減し、そのカフ脈波の振幅値を結ぶエンベロープ（包絡線）の変曲点付近、或いはカフ脈波振幅をその最大脈振幅値で正規化した振幅比と聴診法による血圧測定値との対比により統計的に血圧値を決定している。たとえば、特許文献１に示す血圧測定装置がそれである。
【０００３】
また、従来では、動脈圧とカフ圧が平衡したときに最大に脈が振れると判断され、管法則と呼ばれる動脈血管の内腔断面積とその血管の貫壁圧力の関係において、管法則に現れるコンプライアンスが最大値を示す圧力が動脈圧の平均血圧に相当するとみなされてきた。その結果、オシロメトリック法の基本原理ではこの管法則を基に上記エンベロープの最大振幅を示すカフ圧力が平均血圧に相当するとされてきた。
【先行技術文献】
【特許文献】
【０００４】
【特許文献１】特開平０７−２３６６１７号公報
【発明の概要】
【発明が解決しようとする課題】
【０００５】
しかしながら、上記従来のオシロメトリック法で得られる血圧測定値は、予め求めた統計的関係から推定（算出）されるものであり、カフ血圧測定方法の影響を受ける脈波エンベロープの最大値を基礎としており、その精度が十分に得られないという問題があった。
【０００６】
本発明の目的とするところは、血圧値について高い測定精度が得られる自動血圧測定装置を提供することである。
【０００７】
本発明者は、カフ圧が動脈圧の最低血圧値を越えると動脈は容易に圧平し始め、図２１に示すように上記管法則のコンプライアンスが最大となるカフ圧力は動脈圧の最低血圧値付近であることを発見した。従来では、大動脈系にみられる血管壁の上記管法則の非線形特性、及び血管内圧が減少し貫壁圧力が負となったときにも円管を維持する弾性繊維に富んだ弾性管特性を、末梢の上腕動脈にも適用して、管法則のコンプライアンスの最大である圧力が平均血圧に相当すると考えられてきた。そのように考えられた原因は腕帯を用いた上腕血圧の測定方法が腕帯の装着部位より下流側の末梢血流循環状態に影響を与える事にあった。即ち、カフ法による血圧測定の過程でカフより末梢側の動脈系に流れ込む血流量に対応して末梢側の動脈圧が上昇し、カフ圧力を越える事によりカフ下の血管が常時開口するため上記カフ容積脈波の振幅が減少した結果、平均血圧値と想定された圧力付近で上記エンベロープの最大値が形成される。図２１に示される血管コンプライアンスの最大点より高い貫壁圧力では血管壁弾性の増加により血管コンプライアンスの低下する特性を示し、血管コンプライアンスの最大点より低い貫壁圧力では上記血圧測定条件に影響を受けながら血管コンプライアンスが減少しカフ圧が最低血圧より高くなるにつれて血管が圧平した状態になると判断される。上記のようにカフ容積脈波が最大振幅を示すカフ圧力は血圧測定方法と、測定時の生体の循環状態に依存しており一定では無い。また、前記のようにカフ法による血圧測定では測定時のカフより末梢側の動脈の血流状態に応じて動脈圧（静水圧）が上昇するので、この上昇状態に依存して、カフ圧力が最高血圧値以下から最低血圧値付近にかけて、反射波がカフ容積脈波の心収縮期の頂上付近に重畳する。この過渡的な反射波はカフ容積脈波の振幅を増加させる。従って、従来のオシロメトリック法の、カフ脈波の振幅値を結ぶエンベロープ（包絡線）の変曲点付近、或いはカフ脈波振幅をその最大脈振幅値で正規化した振幅比を用い、統計的に聴診法による血圧値に一致するように推定（測定）された血圧値は、カフ血圧測定方法の影響を受ける脈波エンベロープを基礎としており、それが血圧値の測定精度が十分に得られない原因であると考えられた。
【０００８】
そして、本発明者は、以上の事情を背景として、種々の研究を進めた結果、動脈血管についてその貫壁圧力Ｐｔ（＝最低血圧値ＤＢＰ−圧迫帯の圧迫圧Ｐｃｕｆｆ）［ｍｍＨｇ］と断面積Ａ［ｃｍ２］との間の関係を表わす、たとえば図２１に示すＰ−Ａ曲線において、動脈血管への入力である圧脈波とその動脈血管からの出力である容積脈波振幅（カフ脈波振幅）との関係を求めて考察すると、Ｐ−Ａ曲線のうちの断面積Ａが零に近接する部分は貫壁圧力Ｐｔが負となり、カフによる圧迫部位より抹消側で血液が滞留して末梢側の動脈圧（静水圧）が増加するためであることが推定される点、上記Ｐ−Ａ曲線上において貫壁圧力Ｐｔの零付近がＰ−Ａ曲線の最大傾斜であって、動脈血管の最大コンプライアンス部分すなわち動脈血管の最も変形し易い部分であるため、図２２に示すように、同じ大きさの入力（圧力波）に対して最大振幅の容積脈波が出力される点、および、図２３に示すように、脈圧ＰＰ（１拍の管内圧力振幅＝１拍の最高血圧値−最低血圧値）［ｍｍＨｇ］をパラメ−タ（媒介変数）として、圧迫帯の圧迫圧Ｐｃｕｆｆの変化に伴って変化する容積脈波振幅の各エンベローブの形状は、脈圧ＰＰが小さくなるほど、コンプライアンス曲線に漸近し、エンベロープの最大振幅点が精度良く決定できるので、予め測定された最低血圧値（拡張期血圧）ＤＢＰに接近する点に着目した。本発明者は、カフ圧が低下していく過程でカフ容積脈波の振幅が最大振幅から減少する理由は、Ｐ−Ａ曲線の最低血圧値付近の急傾斜部を挟んで形成される伝播速度の遅い成分（脈波のうちの緩やかな形状部分）と早い成分（脈波のうちの先鋭化した形状部分）とを含む圧脈波がコロトコフ音を発生するという学説を前提とすると、Ｐ−Ａ曲線の最低血圧値付近の急傾斜部すなわち血管コンプライアンスの最大部を低圧側へ過ぎたところで発生する圧脈波が遅い成分が主体的となってコロトコフ音の消失波（最低血圧に対応するコロトコフ音のスワン第５点）に対応すると考えられること、このため、専ら早い成分で振幅が決まるカフ容積脈波の振幅減少に基づいて統計的に最低血圧値を決定するオシロメトリック法による最低血圧値が観血法を用いて測定された最低血圧値から乖離すると推測した。そして、本発明者は、血管コンプライアンスの非線形さは脈波振幅が小さいほど精度良く検出される点、圧脈波は心臓の収縮期に拍出される血液量に依存して形成される収縮期脈波と大動脈系のコンプライアンスにより収縮期に蓄えられた血液を末梢へ循環させる大動脈系に起因した拡張期脈波から形成された複合波として伝導動脈系を伝播するので、カフ圧により前記圧脈波振幅の主成分である収縮期脈波と二次的な成分である拡張期脈波を分離する方法を考案し、脈波のノッチ圧以下の拡張期に発生する相対的に小さな拡張期時相で発生する拡張期時相波を圧脈波から分離して用いて生体の最低血圧値を測定することにより、生体の最低血圧値の精度が高められるのではないかと推定した。カフ圧力が圧脈波の収縮期末期圧より高い場合には、カフ脈波には生体の脈波の収縮期脈波とその収縮期脈波の減衰成分から成る収縮期時相波のみが現れる。上記減衰成分の減衰時定数は平均的な脈波周期の定常時の拡張期血圧のレベルに減衰し、脈波振幅に依存しないと近似できる。カフ圧力が収縮期末期圧より低い場合には、拡張期波及び、血圧測定時のカフとカフ圧力の存在でカフ下流域に滞留（充血）する血液量に依存して静水圧が上昇し過渡現象として反射波が脈波の心収縮期時相に重畳する事がある。上記一過性のカフより末梢側からの反射波の主成分は心収縮期に現れ、カフ圧力が収縮期末期圧直後では心収縮期半ばの波形に重畳しカフ圧力の低下とともに心収縮期前半に重畳開始点が移行し、カフ圧力が最低血圧以下に減圧されると次第に消失して定常状態に復帰する。上記拡張期波と一過性の反射波はカフ圧力の低下とともに現れるが、一般的には拡張期波が先に現れる。若年者のような末梢血管抵抗の小さい場合では収縮期末期圧が低下しており反射波が先に現れることがある。この場合には反射波は遅れており、反射波の容積脈波振幅への影響が少ない。
そこで、本発明者は、上記収縮期時相波を検出し、収縮期末期圧よりも低いカフ圧力で現れる拡張期波を含んだカフ容積脈波から収縮期時相波を差し引き、心拡張期区間で拡張期波を抽出することで、そのカフ容積脈波の数分の１の振幅の拡張期容積脈波の振幅に基づいて生体の最低血圧値を決定すると、観血法による拡張期血圧に近い、カフオシロメトリック法による最低血圧値が高精度で得られた。本発明は、このような知見に基づいて為されたものである。
【課題を解決するための手段】
【０００９】
すなわち、本発明の自動血圧測定装置は、(a) 生体の一部に巻回されて該生体の一部に対する圧迫圧を低下させる圧迫帯を備え、該圧迫帯の圧迫圧を低下させる過程で得られた該圧迫圧を表わすカフ圧信号に含まれる、該生体の脈拍に同期する交流成分であるカフ容積脈波に基づいて該生体の最低血圧値を測定する自動血圧測定装置であって、(b) 前記カフ容積脈波のうち前記カフ圧が前記生体の収縮期末期圧を越える圧力で検出される収縮期時相波とその減衰波形を基準波とし、前記カフ圧が前記生体の収縮期末期圧以下であるときに順次得られる各カフ容積脈波の該カフ容積脈波に含まれる反射波の重畳開始点の振幅と同等となるように前記基準波を調整した収縮期時相波を、それぞれ生成する収縮期時相波生成部と、(c) カフ圧が前記生体の収縮期末期圧以下であるときに順次得られる各カフ容積脈波の波形から前記それぞれ生成された収縮期時相波の波形を差し引くことにより拡張期波と反射波からなる拡張期合成波をそれぞれ生成する拡張期合成波生成部と、(d)前記生成された拡張期合成波の心拡張期区間の成分を抽出した拡張期波に基づいて前記生体の最低血圧値を決定する最低血圧値決定部とを、含むことを特徴とする。
【発明の効果】
【００１０】
このように構成された自動血圧測定装置によれば、カフ容積脈波から収縮期時相波を差し引くことによりそのカフ容積脈波に含まれる拡張期成分波を抽出し、それら拡張期成分波の振幅に基づいて前記生体の最低血圧値が算出されることから、その最低血圧値の決定にはカフ容積脈波に含まれる収縮期時相波の影響を受けない数分の１程度の小さい脈圧成分が使われるので、最低血圧値について高い測定精度が得られる。
【００１１】
ここで、好適には、たとえば血圧測定中の脈波の平均周期の間隔の移動平均処理を行なうローパスフィルタ処理を施すことで前記カフ圧信号から前記生体野一部への圧迫圧力であるＤＣ成分を抽出し、前記カフ圧信号とＤＣ成分との差分を求めることで前記カフ圧容積脈波を生成するカフ容積脈波生成部と、前記連続するカフ圧容積脈波の収縮期波下降脚の変曲点に対応して生じる一次微分波形の負の極小値が最小となったときのカフ圧力を前記収縮期末期圧として決定する収縮期末期圧決定部とを、さらに含む。このようにすれば、生体の心拍に同期したカフ容積脈波、および、生体の収縮期末期圧が容易に得られる。
【００１２】
また、好適には、前記収縮期末期圧決定部は、共通の時間軸上において、前記カフ容積脈波の一次微分波形の変曲点の検出を二次微分波形の極小点により決定し、上記二次微分波形の負の極小点に対応したカフ容積脈波の振幅値が、上記カフ容積脈波の最大振幅の５０［％］を超えたときのカフ圧を前記収縮期末期圧として決定するさらに含む。このようにすれば、拡張期波よりも先行して反射波が収縮期時相波に重なり、前期カフ容積脈波の一次微分波形の負の極小値が最小となる点が拡張期時相に延長する場合でも、収縮期末期圧が正確に決定される。前記カフ容積脈波の一次微分波形の負の極小点が最小となったときのカフ圧を収縮期末期圧として決定する場合は、上記反射波の重畳によって負の極小点がブロードとなって不明確となったり、複数発生したりして収縮期末期圧の精度が得られない場合がある。
【００１３】
また、好適には、前記収縮期時相波生成部は、前記収縮期末期圧より低いカフ圧力で得られたカフ容積脈波の上昇脚から頭頂部にかけての二次微分波の正から負に向かう零クロス点で且つ一次微分波の極小点に対応する、上記カフ容積脈波の変曲点を反射波重畳開始点として決定する反射波重畳開始点決定部と、前記収縮期末期圧より低いカフ圧力で得られたカフ容積脈波と前記基準波とを共通の時間軸上でそれらの立上がり開始点を一致させたときの、前記収縮期時相波の基準波の最大振幅時刻より遅れて上記反射波重畳開始点がある場合にはその基準波の最大振幅値をＡＥＳＢＰとし、その時刻のカフ容積脈波振幅をＡＰＶＲとし、前期反射波重畳開始点が基準波の最大振幅時刻より前の脈波上昇脚に存在する場合には、そのカフ容積脈波の前記反射波重畳開始点における振幅値をＡＰＶＲとし、上記基準波の前記反射波重畳開始点における振幅値をＡＥＳＢＰとして、その振幅比Ａｒａｔｉｏ（＝ＡＰＶＲ／ＡＥＳＢＰ）を求め、その振幅比Ａｒａｔｉｏを前記基準波に乗算することで前記収縮期時相波を生成する基準波補正部とを、含むものである。このようにすれば、前記収縮期末期圧より低いカフ圧力で得られたカフ容積脈波にそれぞれ含まれる収縮期時相波を容易に得ることができる。
【００１４】
また、好適には、拡張期合成波生成部は、前記共通の時間軸上で、カフ圧が前記生体の収縮期末期圧以下であるときに順次得られる前記カフ容積脈波の振幅から、それぞれについて生成された前記収縮期時相波の振幅をそれぞれ差し引くことで、それぞれの拡張期合成波をカフ圧の減少過程で順次生成させるものである。このようにすれば、時系列的に複数の拡張期合成波が容易に得られる。
【００１５】
また、好適には、前記最低血圧値決定部は、前記拡張期合成波生成部により生成された拡張期合成波のうちの心拡張期区間の一連の拡張期波の最大振幅を示す拡張期波の１つ後の拡張期波に対応するカフ圧を最低血圧値として決定するものである。このようにすれば、観血法すなわちカテーテルを用いた直接法による血圧測定により得られた最低血圧値との相関性が一層高められ、傾向誤差の無い測定精度が得られる。
【００１６】
また、好適には、前記カフ圧の降下期間において逐次得られるカフ容積脈波と前記収縮期末期圧より低いカフ圧力ではカフ容積脈波にそれぞれ含まれる収縮期時相波からなる容積脈波の振幅値を結ぶエンベロープ（包絡線）の変曲点付近、或いは収縮期時相波の振幅をその最大脈振幅値で正規化した振幅比が所定の振幅比となる脈波に対応したカフ圧力を最高血圧値として決定する最高血圧値決定部を、さらに含む。このようにすれば、カフ容積脈波の収縮期時相波成分を用いて最高血圧値を決定するので、前記カフ容積脈波の反射波が重畳した脈波形の振幅が増加しエンベロープに複数の変曲点が現れる場合や脈波形の最大振幅に反射波成分が含まれる状況下で最高血圧値を決定するオシロメトリック法による場合に比較して、最高血圧値の精度が高められる。
【図面の簡単な説明】
【００１７】
【図１】生体の被圧迫部位である上腕に巻き付けられる上腕用の圧迫帯を備えた本発明の一実施例の自動血圧測定装置を示している。
【図２】図１の圧迫帯の外周面を示す一部を切り欠いた図である。
【図３】図２の圧迫帯内に備えられた上流側膨張袋、中間膨張袋、および下流側膨張袋を示す平面図である。
【図４】図３の上流側膨張袋、中間膨張袋、および下流側膨張袋を幅方向に切断して示す断面図である。
【図５】図１の電子制御装置に備えられた制御機能の要部を説明するための機能ブロック線図である。
【図６】血圧測定の開始時点からの時間経過に伴って低下するカフ内の圧力を示すカフ圧信号Ｓｐｃを破線で例示し、そのカフ圧信号Ｓｐｃに含まれる直流成分である圧迫圧Ｐｃｕｆｆを実線で例示する図である。
【図７】共通の時間軸上において、カフ圧信号Ｓｐｃに含まれる交流成分であるカフ容積脈波ＰＶＲを実線で示し、カフ容積脈波ＰＶＲの一次微分波形ＰＶＲ’を破線で例示する図である。
【図８】カフ容積脈波ＰＶＲの一次微分波形ＰＶＲ’の負の極小点が最小値を示す時点である収縮期末期圧ＥＳＢＰの推定点を示す図である。
【図９】カフ容積脈波ＰＶＲ、その一次微分波形ＰＶＲ’、および二次微分波形ＰＶＲ”を共通の時間軸上に示し、且つ、カフ容積脈波ＰＶＲの振幅Ａ、および二次微分波形ＰＶＲ”の負の極小点に相当する時点のカフ容積脈波ＰＶＲ上の振幅値dを示す図である。
【図１０】図５の電子制御装置に含まれるカフ圧制御部の制御作動を説明するタイムチャートである。
【図１１】カフ容積脈波ＰＶＲの立上り開始点Ｐfの定義を説明する図である。
【図１２】圧迫圧Ｐｃｕｆｆが収縮期末期圧ＥＳＢＰより低い区間で得られる一つのカフ容積脈波ＰＶＲから、それの立上り開始点Ｐfが一致し且つそのカフ容積脈波ＰＶＲの振幅にそれぞれ一致するように補正された基準波ＰＶＲｂ（収縮期時相波ＰＶＲｓｙｓ）の波形を差し引くことで拡張期合成波ＰＶＲｄｉａが生成されることを説明する図である。
【図１３】圧迫圧Ｐｃｕｆｆが収縮期末期圧ＥＳＢＰより降下する過程で得られる複数のカフ容積脈波ＰＶＲから、それと立上り開始点Ｐfが一致し且つそのカフ容積脈波ＰＶＲの振幅にそれぞれ一致するように補正された基準波ＰＶＲｂ（収縮期時相波ＰＶＲｓｙｓ）を差し引くことで拡張期合成波ＰＶＲｄｉａが生成されることを説明する図である。
【図１４】圧迫圧Ｐｃｕｆｆの降下過程において逐次得られるカフ容積脈波ＰＶＲと、収縮期時相波ＰＶＲｓｙｓと、拡張期合成波ＰＶＲｄｉａとを、共通の時間軸上に示す図である。
【図１５】図１４のうちの拡張期合成波ＰＶＲｄｉａの最大振幅発生時点付近を示す部分拡大図である。
【図１６】Ｗオシロメトリック法を用いて、圧迫圧力Ｐｃｕｆｆの降下期間において逐次得られるカフ容積脈波ＰＶＲと前記収縮期末期圧より低いカフ圧力ではカフ容積脈波にそれぞれ含まれる収縮期時相波からなる容積脈波の振幅値を結ぶエンベロープ（包絡線）と、カフ容積脈波ＰＶＲの収縮期時相波の振幅の第１階差とその変曲点（矢印）とを示す図である。
【図１７】Ｗオシロメトリック法を用いて、圧迫圧力Ｐｃｕｆｆの降下期間において逐次得られるカフ容積脈波ＰＶＲと前記収縮期末期圧より低いカフ圧力ではカフ容積脈波にそれぞれ含まれる収縮期時相波からなる容積脈波の振幅値を結ぶエンベロープ（包絡線）と、反射波を含むカフ容積脈波ＰＶＲの振幅の第１階差と複数の変曲点（矢印）とを示す図である。
【図１８】圧迫圧の降下期間に得られたカフ容積脈波ＰＶＲの主成分の時間幅Ｔを説明する図である。
【図１９】図５の電子制御装置による制御作動の要部を説明するフローチャートである。
【図２０】実施例の自動血圧測定装置１４のＷオシロメトリック法により測定された最低血圧値ＤＢＰを縦軸に示し、観血法により測定された最低血圧値ＤＢＰｄｉｒｅｃｔを横軸に示す相関図である。
【図２１】生体の動脈血管の貫壁圧力Ｐｔ［ｍｍＨｇ］と血管断面積Ａ［ｃｍ２］との関係を示す図である。
【図２２】図２１により表示されるＰ−Ａ曲線において、入力された圧力波に対応して出力される容積脈波の関係を説明する図である。
【図２３】脈圧ＰＰ［ｍｍＨｇ］をパラメータとする圧迫圧Ｐｃｕｆｆと容積脈波ＰＶＲの振幅のエンペローブとの関係を示す図である。
【発明を実施するための形態】
【００１８】
以下、本発明の一実施例を図面を参照して詳細に説明する。なお、以下の実施例において図は適宜簡略化或いは変形されており、各部の寸法比および形状等は必ずしも正確に描かれていない。
【実施例】
【００１９】
図１は、生体の一部である被圧迫部位、たとえば生体の肢体の１つである上腕１０に巻き付けられた上腕用の圧迫帯１２を備えた本発明の一例の自動血圧測定装置１４を示している。この自動血圧測定装置１４は、上腕１０内の動脈１６を止血するのに十分な値まで昇圧させた圧迫帯１２の圧迫圧力を予め設定された降圧速度で降圧させる過程において、動脈１６の脈動すなわち容積変化に応答して発生する圧力振動を含む圧迫帯１２内の圧力を表わすカフ圧信号Ｓｐｃを読み込むとともに、そのカフ圧信号Ｓｐｃからその直流（ＤＣ）成分すなわち上腕１０に対する圧迫圧力を表わすカフ圧Ｐｃｕｆｆとその交流成分であるカフ容積脈波ＰＶＲとに分離し、それらカフ圧Ｐｃｕｆｆおよびカフ容積脈波ＰＶＲに基づいてその生体の最高血圧値ＳＢＰおよび最低血圧値ＤＢＰを測定するものである。
【００２０】
図２は圧迫帯１２の外周面を示す一部を切り欠いた図である。図２に示すように、圧迫帯１２は、ＰＶＣ等の合成樹脂により裏面が相互にラミネートされた合成樹脂繊維製の外周側面不織布２０ａおよび図示しない内周側不織布から成る帯状外袋２０と、その帯状外袋２０内において幅方向に順次収容され、たとえば軟質ポリ塩化ビニールシートなどの可撓性シートから構成されて独立して上腕１０を圧迫可能な上流側膨張袋２２、中間膨張袋２４、および下流側膨張袋２６とを備え、外周側面不織布２０ａの端部に取り付けられた面ファスナ２８に前記内周側不織布の端部に取り付けられた図示しない起毛パイルが着脱可能に接着されることにより、上腕１０に着脱可能に装着されるようになっている。上腕１０に装着された状態においては、下流側膨張袋２６は上流側膨張袋２２および中間膨張袋２４よりも上腕１０内の動脈１６の下流側に位置させられる。また、中間膨張袋２４は下流側膨張袋２６よりも上流側に位置させられ、上流側膨張袋２２は下流側膨張袋２６および中間膨張袋２４よりも上流側に位置させられる。上流側膨張袋２２、中間膨張袋２４、および下流側膨張袋２６は、幅方向に連ねられて前記上腕１０を各々圧迫する独立した気室をそれぞれ有するとともに、管接続用コネクタ３２、３４、および３６を外周面側に備えている。それら管接続用コネクタ３２、３４、および３６は、外周側面不織布２０ａを通して圧迫帯１２の外周面に露出されている。
【００２１】
図３は圧迫帯１２内に備えられた上流側膨張袋２２、中間膨張袋２４、および下流側膨張袋２６を示す平面図であり、図４はそれらを幅方向すなわち図３の矢印ａ方向に切断した断面図である。上流側膨張袋２２、中流側膨張袋２４、および下流側膨張袋２６は、それらにより圧迫された動脈１６の容積変化に応答して発生する圧力振動である脈波を検出するためのものであり、それぞれ長手状を成している。上流側膨張袋２２および下流側膨張袋２６は中間膨張袋２４の両側に隣接した状態で配置されている。また、中間膨張袋２４は上流側膨張袋２２および下流側膨張袋２６の間に挟まれた状態で圧迫帯１２の幅方向の中央部に配置されている。なお、圧迫帯１２が前記上腕１０に巻き付けられた状態においては、上流側膨張袋２２および下流側膨張袋２６は上記上腕１０の長手方向に所定間隔を隔てて位置させられ、また、中間膨張袋２４は上記上腕１０の長手方向において連なるように上記上流側膨張袋２２および下流側膨張袋２６の間に配置させられる。
【００２２】
図４に示すように、中間膨張袋２４は所謂マチ構造の側縁部を両側に備えている。すなわち、中間膨張袋２４の上腕１０の長手方向における両端部には、互いに接近するほど深くなるように互いに接近する方向に折れ込まれた可撓性シートから成る一対の折込溝２４ｆがそれぞれ形成されている。そして、上流側膨張袋２２および下流側膨張袋２６の中間膨張袋２４に隣接する側の隣接側端部２２ａおよび２６ａが上記一対の折込溝２４ｆ内に差し入れられて配置されるようになっている。これにより、中間膨張袋２４の両端部２４ａおよび２４ｂと上流側膨張袋２２の隣接側端部２２ａおよび下流側膨張袋２６の隣接側端部２６ａとが相互に重ねられた構造すなわちオーバラップ構造となるので、上流側膨張袋２２、中間膨張袋２４、および下流側膨張袋２６が等圧で上腕１０を圧迫したときにそれらの境界付近においても比較的均等な圧力分布が得られる。
【００２３】
上流側膨張袋２２および下流側膨張袋２６も、所謂マチ構造の側縁部を中間膨張袋２４とは反対側の端部２２ｂおよび２６ｂに備えている。すなわち、上流側膨張袋２２および下流側膨張袋２６の中間膨張袋２４とは反対側の端部２２ｂおよび２６ｂには、互いに接近するほど深くなるように互いに接近する方向に折れ込まれた可撓性シートから成る折込溝２２ｆおよび２６ｆがそれぞれ形成されている。それら折込溝２２ｆおよび２６ｆを構成するシートは、幅方向に飛び出ないように、上流側膨張袋２２および下流側膨張袋２６内に配置された貫通穴を備える接続シート３８、４０を介してその反対側部分すなわち中間膨張袋２４側の部分に接続されている。これにより、上流側膨張袋２２および下流側膨張袋２６の端部２２ｂおよび２６ｂにおいても前記上腕１０の動脈１６に対する圧迫圧力が他の部分と同様に得られるので、圧迫帯１２の幅方向の有効圧迫幅がその幅寸法と同等になる。圧迫帯１２の幅方向は１２ｃｍ程度であり、その幅方向に３つの上流側膨張袋２２、中間膨張袋２４、および下流側膨張袋２６が配置された構造であるから、それぞれが実質的に４ｃｍ程度の幅寸法とならざるを得ない。このような狭い幅寸法であっても圧迫機能を十分に発生させるために、中間膨張袋２４の両端部２４ａおよび２４ｂと上流側膨張袋２２および下流側膨張袋２６の隣接側端部２２ａおよび２６ａとが相互に重ねられたオーバラップ構造とされるとともに、上流側膨張袋２２および下流側膨張袋２６の中間膨張袋２４とは反対側の端部２２ｂおよび２６ｂが所謂マチ構造の側縁部とされている。
【００２４】
上流側膨張袋２２および下流側膨張袋２６の中間膨張袋２４側の端部２２ａおよび２６ａと、それが差し入れられている一対の折込溝２４ｆの内壁面すなわち相対向する溝側面との間には、圧迫帯１２の長手方向の曲げ剛性よりもその圧迫帯１２の幅方向の曲げ剛性が高い剛性の異方性を有する長手状の遮蔽部材４２がそれぞれ介在させられている。この遮蔽部材４２は、上流側膨張袋２２および下流側膨張袋２６、或いは中間膨張袋２４と同様の長さ寸法を備えている。
【００２５】
上記遮蔽部材４２は、たとえば、上腕１０の長手方向すなわち圧迫帯１２の幅方向に平行な樹脂製の複数本の可撓性中空管４４が互いに平行な状態で、上腕１０の周方向すなわち圧迫帯１２の長手方向に連ねて配列されるとともに、それら可撓性中空管４４が型成形或いは接着により直接に或いは粘着テープなどの可撓性シート等の他の部材を介して間接的に相互に連結されることにより構成されている。上記遮蔽部材４２は、上流側膨張袋２２および下流側膨張袋２６の中間膨張袋２４側の端部２２ａおよび２６ａの外周側の複数箇所に設けられた複数の掛止シート４６に掛け止められている。
【００２６】
図１に戻って、自動血圧測定装置１４においては、空気ポンプ５０、急速排気弁５２、および排気制御弁５４が主配管５６にそれぞれ接続されている。その主配管５６からは、上流側膨張袋２２に接続された第１分岐管５８、中間膨張袋２４に接続された第２分岐管６２、および下流側膨張袋２６に接続された第３分岐管６４がそれぞれ分岐させられている。上記第１分岐管５８は、空気ポンプ５０と上流側膨張袋２２との間を直接開閉するための第１開閉弁Ｅ１を直列に備えている。また、上記主配管５６は、空気ポンプ５０、急速排気弁５２、および排気制御弁５４と、上記各分岐管との間を直接開閉するための第２開閉弁Ｅ２を直列に備えている。また、上記第３分岐管６４は、空気ポンプ５０と下流側膨張袋２６との間を直接開閉するための第３開閉弁Ｅ３を直列に備えている。そして、上流側膨張袋２２内の圧力値を検出するための第１圧力センサＴ１が第１分岐管５８に接続され、中間膨張袋２４内の圧力値を検出するための第２圧力センサＴ２が第２分岐管６２に接続され、下流側膨張袋２６内の圧力値を検出するための第３圧力センサＴ３が第３分岐管６４に接続されている。
【００２７】
電子制御装置７０には、第１圧力センサＴ１、第２圧力センサＴ２、および第３圧力センサＴ３から、上流側膨張袋２２内の圧力値すなわち上流側膨張袋２２の圧迫圧力値ＰＣ１を示す第１カフ圧信号、中間膨張袋２４内の圧力値すなわち中間膨張袋２４の圧迫圧力値ＰＣ２を示す第２カフ圧信号、および下流側膨張袋２６内の圧力値すなわち下流側膨張袋２６の圧迫圧力値ＰＣ３を示す第３カフ圧信号がそれぞれ供給される。電子制御装置７０は、ＣＰＵ７２、ＲＡＭ７４、ＲＯＭ７６、および図示しないＩ／Ｏポートなどを含む所謂マイクロコンピュータである。この電子制御装置７０は、ＣＰＵ７２がＲＡＭ７４の記憶機能を利用しつつ予めＲＯＭ７６に記憶されたプログラムにしたがって入力信号を処理し、電動式の空気ポンプ５０、急速排気弁５２、排気制御弁５４、第１開閉弁Ｅ１、第２開閉弁Ｅ２、および第３開閉弁Ｅ３をそれぞれ制御することにより、膨張袋２２、２４、および２６を用いて同じ圧迫圧で上腕１０を圧迫するとともに、その圧迫圧を予め設定された速度で降下させる過程で、上腕１０の動脈１６の容積変化に応答してそれぞれ発生する膨張袋２２、２４、および２６内の圧力を表わす第１カフ圧信号、第２カフ圧信号、第３カフ圧信号をそれぞれ採取する。また、電子制御装置７０は、たとえば徐々に降下するカフ圧を示す第２カフ圧信号を平滑化処理した後でローパスフィルタを通すことにより第２カフ圧信号のＤＣ成分を抽出するとともに、第２カフ圧信号からＤＣ成分を差し引くことで、カフ圧信号に含まれる交流成分であるカフ容積脈波信号ＳＭ２を生成し、以下に示すＷオシロメトリック法を用いてそのカフ容積脈波信号ＳＭ２に基づいて前記生体の収縮期脈波の振幅のエンベロープから最高血圧値ＳＢＰ、拡張期脈波の振幅のエンベロープから最低血圧値ＤＢＰを算出し、表示装置７８にその演算結果である測定値を表示させる。この電子制御装置７０には、血圧値測定起動部８０からの出力信号も供給される。この血圧値測定起動部８０は、図示しない起動釦を用いた手動による起動操作に応答して、或いは予め設定された血圧測定周期毎に、血圧測定開始の指令信号を出力するものである。
【００２８】
図５は、電子制御装置７０に備えられた制御機能の要部を説明するための機能ブロック線図である。図５において、カフ圧制御部８２は、血圧測定開始の指令信号が血圧値測定起動部８０から供給された場合に、急速排気弁５２および排気制御弁５４を閉じ、第１開閉弁Ｅ１、第２開閉弁Ｅ２、および第３開閉弁Ｅ３を開いた状態で空気ポンプ５０を起動させることにより、上流側膨張袋２２、中間膨張袋２４、および下流側膨張袋２６による上腕１０の動脈１６への圧迫圧力値ＰＣをその動脈１６における最高血圧値ＳＢＰよりも充分に高い値に予め設定された昇圧目標圧力値ＰＣＭ（たとえば１８０［ｍｍＨｇ］）までそれぞれ急速に昇圧させる。例えば、中間膨張袋２４の圧迫圧力値ＰＣ２が上記昇圧目標圧力値ＰＣＭ以上となるまで各膨張袋を昇圧する。続いて、カフ圧制御部８２は、排気制御弁５４を用いて、上記昇圧させた上流側膨張袋２２、中間膨張袋２４、および下流側膨張袋２６の圧迫圧力値ＰＣをたとえば３〜５［ｍｍＨｇ／ｓｅｃ］程度に予め設定された徐速降圧速度でそれぞれ同時に徐速降圧させ、上流側膨張袋２２、中間膨張袋２４、および下流側膨張袋２６で均等な圧で圧迫される上腕１０の圧迫圧力を降下させる。そして、カフ圧制御部８２は、中間膨張袋２４の圧迫圧力値ＰＣ２が、上記動脈１６における最低血圧値ＤＢＰよりも充分に低い値に予め設定された測定終了圧力値ＰＣＥ（たとえば３０［ｍｍＨｇ］）よりも小さくなったときに、急速排気弁５２を用いて上流側膨張袋２２、中間膨張袋２４、および下流側膨張袋２６内の圧力をそれぞれ大気圧まで排圧する。
【００２９】
カフ圧信号記憶部８４は、カフ圧制御部８２により上流側膨張袋２２、中間膨張袋２４、および下流側膨張袋２６の圧迫圧力値ＰＣがそれぞれ徐速降圧させられる過程において、第１圧力センサＴ１、第２圧力センサＴ２、および第３圧力センサＴ３からの出力信号、とりわけ第２圧力センサＴ２からの出力信号をカフ圧信号Ｓｐｃとして用いる。
【００３０】
カフ容積脈波生成部８６は、たとえば血圧測定中の脈波の平均周期の間隔の移動平均を行う実質的なローパスフィルタ処理を上記カフ圧信号Ｓｐｃに施すことで、そのカフ圧信号ＳｐｃからそのＤＣ成分すなわち上腕１０に対する圧迫圧力を表わす圧迫圧（カフ圧）Ｐｃｕｆｆを生成するとともに、カフ圧信号Ｓｐｃとカフ圧Ｐｃｕｆｆとの差分を求めることでカフ圧信号Ｓｐｃに含まれる交流成分であるカフ容積脈波ＰＶＲとを生成する。たとえば図６の破線はカフ圧信号Ｓｐｃを示し、図６の実線は圧迫圧Ｐｃｕｆｆを示している。また、図７の実線は、カフ容積脈波ＰＶＲを示している。
【００３１】
収縮期末期圧決定部８８は、カフ容積脈波ＰＶＲをたとえばカットオフ周波数が０．５［Ｈｚ］のハイパスフィルタを通すことにより、図７の破線および図８に示されるカフ圧容積脈波ＰＶＲの一次微分波形ＰＶＲ’を求める。次いで、その一次微分波形ＰＶＲ’の負の極小値が最小となったときの圧迫圧Ｐｃｕｆｆを生体の心臓の収縮期末期圧ＥＳＢＰとして決定する。一次微分波形ＰＶＲ’の負の極小値は心臓の拡張期に発生する成分である拡張期波が表れると減衰する性質があることを利用して、一次微分波形ＰＶＲ’の負の極小値が最小となったときの圧迫圧Ｐｃｕｆｆを収縮期末期圧として決定するものである。
【００３２】
また、収縮期末期圧決定部８８は、上記に加えて或いはそれとは別に、カフ容積脈波ＰＶＲをたとえばカットオフ周波数が１．０［Ｈｚ］のハイパスフィルタを２回通すことにより、図９の２点鎖線に示されるカフ容積脈波ＰＶＲの二次微分波形ＰＶＲ”を求める。次いで、その共通の時間軸上において、カフ容積脈波ＰＶＲの二次微分波形ＰＶＲ”の負の極小点に相当する時点のカフ容積脈波ＰＶＲ上の振幅値ｄが、そのカフ容積脈波ＰＶＲの振幅Ａの予め定められた所定割合たとえば５０％を超えたときの圧迫圧Ｐｃｕｆｆを収縮期末期圧ＥＳＢＰとして決定する。この所定割合は、予め実験的に求められたものである。
【００３３】
収縮期時相波生成部９０は、一連のカフ容積脈波ＰＶＲのうち圧迫帯１２（中間膨張袋２４）内の圧迫圧（カフ圧）Ｐｃｕｆｆが生体の心臓の収縮期末期圧ＥＳＢＰであるときに発生した１つのカフ容積脈波ＰＶＲである収縮期末期圧容積脈波ＰＶＲＥＳＢＰよりも１つ前に発生した容積脈波を基準波ＰＶＲｂとし、圧迫圧Ｐｃｕｆｆが生体の収縮期末期圧ＥＳＢＰ以下であるときに順次得られる各カフ容積脈波ＰＶＲのうちそのカフ容積脈波ＰＶＲに含まれる拡張期合成波ＰＶＲｄｉａの重畳開始点の振幅と同等となるように前記基準波ＰＶＲｂの振幅をそれぞれ調整（補正）した収縮期時相波ＰＶＲｓｙｓを、それぞれ生成する。すなわち、収縮期時相波生成部９０は、一連のカフ容積脈波ＰＶＲのうち圧迫帯１２（中間膨張袋２４）内の圧迫圧（カフ圧）Ｐｃｕｆｆが生体の心臓の収縮期末期圧ＥＳＢＰであるときに発生した１つのカフ容積脈波ＰＶＲである収縮期末期圧容積脈波ＰＶＲＥＳＢＰよりも１つ前に発生した容積脈波を基準波ＰＶＲｂとする基準波決定部９２と、圧迫圧（カフ圧）Ｐｃｕｆｆが生体の心臓の収縮期末期圧ＥＳＢＰより低い区間で得られたカフ容積脈波ＰＶＲの二次微分波ＰＶＲ”の正から負に向かう零クロス点で且つ一次微分波ＰＶＲ’の極小点に対応する、カフ容積脈波ＰＶＲの基線ＢＬ上の点を反射波重畳開始点Ｐｒｓとして決定する反射波重畳開始点決定部９４と、圧迫圧（カフ圧）Ｐｃｕｆｆが生体の心臓の収縮期末期圧ＥＳＢＰより低い区間で複数得られたうちの１つのカフ容積脈波ＰＶＲと基準波ＰＶＲｂとを共通の時間軸上で相互の立上り開始点（フット点）Ｐｆを一致させたときの、前記収縮期時相波の基準波の最大振幅時刻より遅れて上記反射波重畳開始点がある場合にはその基準波の最大振幅値をＡＥＳＢＰとし、その時刻のカフ容積脈波振幅をＡＰＶＲとし、前期反射波重畳開始点が基準波の最大振幅時刻より前の脈波上昇脚に存在する場合には、そのカフ容積脈波の前記反射波重畳開始点における振幅値をＡＰＶＲとし、上記基準波の前記反射波重畳開始点における振幅値をＡＥＳＢＰとして、その振幅比Ａｒａｔｉｏ（＝ＡＰＶＲ／ＡＥＳＢＰ）を個々のカフ容積脈波ＰＶＲ毎に求め、その振幅比Ａｒａｔｉｏを基準波の最大振幅値ＡＥＳＢＰに乗算して個々のカフ容積脈波ＰＶＲの振幅に基準波ＰＶＲｂの振幅をそれぞれ一致させる補正をすることで収縮期時相波ＰＶＲｓｙｓを生成する基準波補正部９６とを、含む。
【００３４】
図１０は、上記反射波重畳開始点決定部９４におけるカフ容積脈波ＰＶＲ内の反射波重畳開始点Ｐｒｓの決定方法を説明する図である。図１０において、共通の時間軸上のカフ容積脈波ＰＶＲの一次微分波ＰＶＲ’およびカフ容積脈波ＰＶＲの二次微分波ＰＶＲ”において、二次微分波ＰＶＲ”の零クロス点Ｚ、および一次微分波ＰＶＲ’の極小点ＰＢが求められ、二次微分波ＰＶＲ”の零クロス点Ｚで且つ一次微分波ＰＶＲ’の極小点ＰＢに対応する、カフ容積脈波ＰＶＲの基線ＢＬ上の変曲点が、反射波重畳開始点Ｐｒｓとして決定される。
【００３５】
また、上記基準波補正部９６において、カフ容積脈波ＰＶＲおよび基準波ＰＶＲｂの立上り開始点（フット点）Ｐｆは、図１１に示すように求められる。たとえば図１１に示されているカフ容積脈波ＰＶＲにおいて、カフ容積脈波ＰＶＲの振幅の２０［％］に相当する点Ｐ２０と５０［％］に相当する点Ｐ５０とを結ぶ直線Ｌがカフ容積脈波ＰＶＲの基線ＢＬと交差する点が、基準波ＰＶＲｂの立上り開始点（フット点）Ｐｆとして決定される。
【００３６】
拡張期合成波生成部９８は、圧迫圧Ｐｃｕｆｆが収縮期末期圧ＥＳＢＰより低い区間で順次得られる各カフ容積脈波ＰＶＲから、それの立上り開始点Ｐｆが一致し且つそのカフ容積脈波ＰＶＲの振幅にそれぞれ一致するように補正された基準波ＰＶＲｂすなわち収縮期時相波ＰＶＲｓｙｓ（＝Ａｒａｔｉｏ×ＰＶＲｂ）の波形をそれぞれ差し引くことで拡張期合成波ＰＶＲｄｉａを、図１２或いは図１３に示すようにそれぞれ生成する。図１２では、１つの波形について、２点鎖線で示されているカフ容積脈波ＰＶＲから、その振幅に一致するように補正された基準波ＰＶＲｂすなわち収縮期時相波ＰＶＲｓｙｓ（破線で示された波形）が差し引かれることにより生成された拡張期合成波ＰＶＲｄｉａが、実線で示されている。図１３では、圧迫圧Ｐｃｕｆｆが収縮期末期圧ＥＳＢＰより降下する過程で得られた複数のカフ容積脈波ＰＶＲが２点鎖線で示され、そのカフ容積脈波ＰＶＲの立上り開始点Ｐｆが一致し且つそのカフ容積脈波ＰＶＲの振幅にそれぞれ一致するように補正された基準波ＰＶＲｂすなわち収縮期時相波ＰＶＲｓｙｓが破線で示され、カフ容積脈波ＰＶＲから収縮期時相波ＰＶＲｓｙｓを差し引くことで得られた拡張期合成波ＰＶＲｄｉａが、実線で示されている。この拡張期合成波ＰＶＲｄｉａは、動脈の分岐点から反射される反射波と拡張期に発生する拡張期時相波との合成波である。図１３の矢印は、収縮期末期圧ＥＳＢＰに対応する時点と収縮期末期圧容積脈波ＰＶＲＥＳＢＰとを示している。
【００３７】
最低血圧値決定部１００は、Ｗオシロメトリック法を用いて拡張期合成波生成部９８により生成された拡張期合成波ＰＶＲｄｉａの振幅変化に基づいて生体の最低血圧値ＤＢＰを算出する。最低血圧値決定部１００は、たとえば、圧迫圧Ｐｃｕｆｆが収縮期末期圧ＥＳＢＰより降下する過程で順次得られる各カフ容積脈波ＰＶＲから収縮期時相波ＰＶＲｓｙｓを差し引くことで得られた複数の拡張期合成波ＰＶＲｄｉａは、時系列的に振幅が最大振幅まで増加した後減少する。最低血圧値決定部１００は、拡張期合成波生成部９８により生成された一連の拡張期合成波ＰＶＲｄｉａのうちの最大振幅を示す拡張期合成波の１つ後の拡張期合成波ＰＶＲｄｉａの発生時点に対応する圧迫圧力Ｐｃｕｆｆを最低血圧値ＤＢＰとして決定する。図１４では、圧迫圧力Ｐｃｕｆｆの降下過程において逐次得られるカフ容積脈波ＰＶＲのうちの収縮期時相波ＰＶＲｓｙｓと重なる部分は破線で、重ならない部分が２点鎖線で示され、収縮期時相波ＰＶＲｓｙｓが破線で示され、拡張期合成波ＰＶＲｄｉａが実線で示されている。拡張期合成波のうち心拡張期領域の波形を前期脈波の立ち上がり点から３００［ｍｓｅｃ］以降の時間領域で抽出すると拡張期波が得られる。図１５は図１４のうちの拡張期合成波ＰＶＲｄｉａ抽出分離された拡張期波ＰＶＲｄｉａの最大振幅発生時点付近を示す部分拡大図である。図１４および図１５の矢印は、最大振幅を示す拡張期波ＰＶＲｄｉａの１つ後で発生した拡張期波ＰＶＲｄｉａの発生時点すなわち最低血圧値ＤＢＰとして決定された圧迫圧力Ｐｃｕｆｆに対応する時点を示している。
【００３８】
最高血圧値決定部１０２は、Ｗオシロメトリック法を用いて、たとえば、圧迫圧力Ｐｃｕｆｆの降下期間において逐次得られるカフ容積脈波ＰＶＲと前記収縮期末期圧より低いカフ圧力ではカフ容積脈波にそれぞれ含まれる収縮期時相波からなる容積脈波の振幅値を結ぶエンベロープ（包絡線）の変曲点付近、或いは収縮期時相波の振幅をその最大脈振幅値で正規化した振幅比が所定の振幅比となる脈波に対応した圧迫圧力Ｐｃｕｆｆが、最高血圧値ＳＢＰとして決定される。上記カフ容積脈波ＰＶＲの収縮期時相波の振幅の第１階差のポイントを示す黒点とその変曲点を示す矢印が、図１６に示されている。また、図１７では、反射波を含むカフ容積脈波ＰＶＲの振幅の第１階差のポイントを示す黒点とその複数の変曲点が矢印で示されている。図１８は、容積脈波ＰＶＲの主成分の時間幅Ｔを示している。
【００３９】
図１９は、上記電子制御装置７０の制御作動の要部を説明するフローチャートである。図示しない電源スイッチが投入されると初期状態とされる。この初期状態では、第１開閉弁Ｅ１、第２開閉弁Ｅ２、第３開閉弁Ｅ３、および急速排気弁５２は常開弁であるため開状態（非作動状態）とされ、排気制御弁５４は常閉弁であるため閉状態（非作動状態）とされ、また、空気ポンプ５０は非作動状態とされている。
【００４０】
次いで、図示しない起動操作装置が操作されて自動血圧測定装置１４の測定動作が開始されると、先ず、前記カフ圧制御部８２に対応する図１９のステップ（以下、「ステップ」を省略する）Ｓ１においては、圧迫帯１２の圧迫圧力値が昇圧される。具体的には、急速排気弁５２が閉状態とされるとともに、空気ポンプ５０が作動状態とされてその空気ポンプ５０から圧送される圧縮空気により主配管５６内およびそれに連通された上流側膨張袋２２、中間膨張袋２４、および下流側膨張袋２６内の圧力が急速に高められる。そして、圧迫帯１２による上腕１０の圧迫が開始される。
【００４１】
上記Ｓ１に次いで、前記カフ圧制御部８２に対応するＳ２においては、中間膨張袋２４の圧迫圧力値ＰＣ２を示すカフ圧信号ＰＫ２に基づいて、その圧迫圧力値ＰＣ２が生体の最高血圧値よりも高くなるように予め設定された昇圧目標圧力値ＰＣＭ（たとえば１８０［ｍｍＨｇ］）以上であるか否かが判定される。上記Ｓ２の判定が否定されて図１９のＳ１以下が繰り返し実行される。
【００４２】
しかし、Ｓ２の判定が肯定されると、前記カフ圧制御部８２に対応するＳ３において、空気ポンプ５０の作動が停止される。そして、昇圧させた上流側膨張袋２２、中間膨張袋２４、および下流側膨張袋２６の圧迫圧力値ＰＣ１、ＰＣ２、およびＰＣ３が例えば３〜５［ｍｍＨｇ／ｓｅｃ］に予め設定された所定の徐速降圧速度でそれぞれ同時に降圧するように排気制御弁５４が作動させられ、徐速排気が開始される。これにより、図６に示すように、カフ圧信号Ｓｐｃが減少し、圧迫圧力Ｐｃｕｆｆが降下させられる。
【００４３】
Ｓ３に次いで、カフ圧信号記憶部８４に対応するＳ４では、圧迫圧力値ＰＣ１、ＰＣ２、およびＰＣ３がそれぞれ所定の降圧速度で降下される間に、カフ圧信号ＳｐｃがＲＡＭ７４に記憶される。次に、前記カフ圧制御部８２に対応するＳ５では、カフ圧信号Ｓｐｃが予め設定された測定終了圧力値ＰＣＥ（たとえば３０［ｍｍＨｇ］）以下であるか否かが判定される。このＳ５の判定が否定されるうちは図１９のＳ３以下が繰り返し実行されるが、Ｓ５の判定が肯定されると、前記カフ圧制御部８２に対応するＳ７において、上流側膨張袋２２、中間膨張袋２４、および下流側膨張袋２６内の圧力がそれぞれ大気圧まで排圧させられるように急速排気弁５２が作動させられる。
【００４４】
続いて、前記カフ容積脈波生成部８６に対応するＳ７では、ＲＡＭ７４に記憶されたカフ圧信号Ｓｐｃに、たとえば血圧測定中の脈波の平均周期の間隔の移動平均を行う実質的なローパスフィルタ処理が施されることで、そのカフ圧信号ＳｐｃからそのＤＣ成分すなわち上腕１０に対する圧迫圧力を表わす圧迫圧力（カフ圧力）Ｐｃｕｆｆが生成される。また、カフ圧信号Ｓｐｃと圧迫圧力（カフ圧力）Ｐｃｕｆｆとの差分が求められることでカフ圧信号Ｓｐｃに含まれる交流成分であるカフ容積脈波ＰＶＲが生成される。
【００４５】
次に、前記収縮期末期圧決定部８８に対応するＳ８では、カフ容積脈波ＰＶＲがたとえばカットオフ周波数が０．５［Ｈｚ］のハイパスフィルタに通されることで、カフ圧容積脈波ＰＶＲの一次微分波形ＰＶＲ’が求められる。そして、その一次微分波形ＰＶＲ’の負の極小値が最小となったときの圧迫圧力Ｐｃｕｆｆが生体の心臓の収縮期末期圧ＥＳＢＰとして決定される。
【００４６】
また、上記収縮期末期圧決定部８８に対応するＳ８では、上記に加えて或いはそれに替えて、カフ容積脈波ＰＶＲがたとえばカットオフ周波数が１．０［Ｈｚ］のハイパスフィルタに２回通されることにより、カフ容積脈波ＰＶＲの二次微分波形ＰＶＲ”が求められる。そして、共通の時間軸上において、カフ容積脈波ＰＶＲの二次微分波形ＰＶＲ”の負の極小点に相当する時点のカフ容積脈波ＰＶＲ上の振幅値ｄが、そのカフ容積脈波ＰＶＲの振幅Ａの予め定められた所定割合たとえば５０［％］を超えたときの圧迫圧力Ｐｃｕｆｆが収縮期末期圧ＥＳＢＰとして決定される。拡張期波よりも先行して反射波が収縮期時相波に重なり、前記カフ容積脈波の一次微分波形の負の極小値が最小となる点が拡張期時相に延長する場合、例えば前記カフ容積脈波の立ち上がり点から上記一次微分波形の負の極小点が２６０［ｍｓｅｃ］を越えるような場合は、その負の極小点が最小となったときの圧迫圧力Ｐｃｕｆｆが生体の心臓の収縮期末期圧ＥＳＢＰに替えて、上記振幅ｄがカフ容積脈波ＰＶＲの振幅Ａの５０［％］を超えたときの圧迫圧力Ｐｃｕｆｆから決定された収縮期末期圧ＥＳＢＰが用いられる。
【００４７】
次いで、前記収縮期時相波生成部９０に対応するＳ９では、一連のカフ容積脈波ＰＶＲのうち圧迫帯１２（中間膨張袋２４）内の圧迫圧力（カフ圧力）Ｐｃｕｆｆが生体の心臓の収縮期末期圧ＥＳＢＰであるときに発生した１つのカフ容積脈波ＰＶＲである収縮期末期圧容積脈波ＰＶＲｓｙｓよりも１つ前に発生した容積脈波が基準波ＰＶＲｂとされ、圧迫圧力Ｐｃｕｆｆが生体の収縮期末期圧ＥＳＢＰ以下であるときに順次得られる各カフ容積脈波ＰＶＲのうちそのカフ容積脈波ＰＶＲに含まれる拡張期合成波ＰＶＲｄｉａの重畳開始点の振幅と同等となるように前記基準波ＰＶＲｂの振幅をそれぞれ調整（補正）した収縮期時相波ＰＶＲｓｙｓが、それぞれ生成される。
【００４８】
次いで、前記拡張期合成波生成部９８に対応するＳ１０では、圧迫圧力Ｐｃｕｆｆが収縮期末期圧ＥＳＢＰより低い区間で順次得られる各カフ容積脈波ＰＶＲから、それの立上り開始点Ｐｆが一致し且つそのカフ容積脈波ＰＶＲの振幅にそれぞれ一致するように補正された基準波ＰＶＲｂすなわち収縮期時相波ＰＶＲｓｙｓ（＝Ａｒａｔｉｏ×ＰＶＲｂ）の波形をそれぞれ差し引くことで拡張期合成波ＰＶＲｄｉａが、図１２或いは図１３に示すようにそれぞれ生成される。
【００４９】
最低血圧値決定部１００に対応するＳ１１では、拡張期合成波生成部９８により生成された拡張期合成波のうちの心拡張期領域の波形を前期脈波の立ち上がり点から３００［ｍｓｅｃ］以降の時間領域で抽出した拡張期波について、一連の拡張期波ＰＶＲｄｉａのうちの最大振幅を示す拡張期波の１つ後の拡張期波ＰＶＲｄｉａが決定され、その１つ後の拡張期波ＰＶＲｄｉａの発生時点に対応する圧迫圧力Ｐｃｕｆｆが最低血圧値ＤＢＰとして決定される。
【００５０】
最高血圧値決定部１０２に対応するＳ１２では、圧迫圧力Ｐｃｕｆｆの降下期間において逐次得られるカフ容積脈波ＰＶＲと前記収縮期末期圧より低いカフ圧力ではカフ容積脈波にそれぞれ含まれる収縮期時相波からなる容積脈波の振幅値を結ぶエンベロープ（包絡線）の変曲点付近、或いは収縮期時相波の振幅をその最大脈振幅値で正規化した振幅比が所定の振幅比となる脈波に対応した圧迫圧力Ｐｃｕｆｆが、最高血圧値ＳＢＰとして決定される。そして、Ｓ１３では、上記のようにして決定された最高血圧値ＳＢＰおよび最低血圧値ＤＢＰを示す血圧データが出力されるともに、それら最高血圧値ＳＢＰおよび最低血圧値ＤＢＰが表示装置７８に表示される。
【００５１】
上述のように、本実施例の自動血圧測定装置１４によれば、収縮期末期圧よりも低い圧迫圧力Ｐｃｕｆｆの区間で逐次得られたカフ容積脈波ＰＶＲから収縮期時相波ＰＶＲｓｙｓをそれぞれ差し引くことによりカフ容積脈波ＰＶＲに含まれる拡張期合成波ＰＶＲｄｉａをそれぞれ抽出し、それら拡張期合成波の心拡張期領域の拡張期波ＰＶＲｄｉａの振幅に基づいて生体の最低血圧値ＤＢＰが算出されることから、その最低血圧値ＤＢＰの決定にはカフ容積脈波ＰＶＲに含まれる収縮期時相波ＰＶＲｓｙｓの数分の１程度の小さな振幅の拡張期波が用いられるので、最低血圧値ＤＢＰについて高い測定精度が得られる。因みに、図２０は、観血法により測定された最低血圧値ＤＢＰｄｉｒｅｃｔを横軸とし、上記のように決定された最低血圧値ＤＢＰを縦軸とした図であって、相互に高い相関を示し傾向誤差が見られない。
【００５２】
また、本実施例の自動血圧測定装置１４によれば、たとえば血圧測定中の脈波の平均周期の間隔の移動平均処理を行なうローパスフィルタ処理を施すことでカフ圧信号ＳｐｃからそのＤＣ成分である圧迫圧力Ｐｃｕｆｆを抽出し、そのカフ圧信号ＳｐｃとそのＤＣ成分である圧迫圧力Ｐｃｕｆｆとの差分を求めることでカフ圧容積脈波ＰＶＲを生成するカフ容積脈波生成部８６と、カフ圧容積脈波ＰＶＲの一次微分波形ＰＶＲ’の負の極小点が最小となったときの圧迫圧力（カフ圧力）Ｐｃｕｆｆを収縮期末期圧ＥＳＢＰとして決定する収縮期末期圧決定部８８とを、さらに含む。このため、生体の心拍に同期したカフ容積脈波ＰＶＲ、および、生体の収縮期末期圧ＥＳＢＰが容易に得られる。
【００５３】
また、本実施例の自動血圧測定装置１４によれば、収縮期末期圧決定部８８は、共通の時間軸上において、カフ容積脈波ＰＶＲの二次微分波形ＰＶＲ”の負の極小点に相当する時点のカフ容積脈波ＰＶＲ上の振幅値ｄが、カフ容積脈波ＰＶＲの振幅Ａの５０［％］を超えたときの圧迫圧力（カフ圧力）Ｐｃｕｆｆを収縮期末期圧ＥＳＢＰとして決定する。このため、拡張期波よりも先行して反射波が収縮期時相波に重なり、前期カフ容積脈波の一次微分波形の負の極小値が最小となる点が拡張期時相に延長する場合でも、収縮期末期圧ＥＳＢＰが正確に決定される。カフ容積脈波ＰＶＲの一次微分波形ＰＶＲ’の負の極小値が最小となったときの圧迫圧力（カフ圧力）Ｐｃｕｆｆを収縮期末期圧ＥＳＢＰとして決定する場合は、反射波の重畳によって負の極小点がブロードで不明確となったり、極小点が複数発生したりして収縮期末期圧ＥＳＢＰの精度が得られない場合がある。
【００５４】
また、本実施例の自動血圧測定装置１４によれば、収縮期時相波生成部９０は、収縮期末期圧ＥＳＢＰであるときに発生した収縮期末期圧容積脈波ＰＶＲＥＳＢＰよりも１つ前に発生したカフ容積脈波を基準波ＰＶＲｂとして決定する基準波決定部９２を、含む、この場合、その収縮期末期圧容積脈波ＰＶＲＥＳＢＰよりも１つ前に発生したカフ容積脈波は、反射波或いは拡張期時相波の影響を受けない純粋な容積脈波であることから、そのような基準波ＰＶＲｂから得られた拡張期合成波ＰＶＲｄｉａの形状が正確となり、その拡張期合成波ＰＶＲｄｉａに基づいて測定される最低血圧値ＤＢＰの精度が、一層高められる。
【００５５】
また、本実施例の自動血圧測定装置１４によれば、収縮期時相波生成部９０は、収縮期末期圧ＥＳＢＰより低い圧迫圧Ｐｃｕｆｆで得られたカフ容積脈波ＰＶＲの上昇脚から頭頂部にかけての二次微分波ＰＶＲ”の正から負に向かう零クロス点で且つ一次微分波ＰＶＲ’の極小点に対応する、カフ容積脈波ＰＶＲの変曲点を反射波重畳開始点Ｐｒｓとして決定する反射波重畳開始点決定部９４と、収縮期末期圧ＥＳＢＰより低い圧迫圧力Ｐｃｕｆｆで得られたカフ容積脈波ＰＶＲと基準波ＰＶＲｂとを共通の時間軸上でそれらの立上がり開始点Ｐｆを一致させたときの、前記収縮期時相波の基準波の最大振幅時刻より遅れて上記反射波重畳開始点がある場合にはその基準波の最大振幅値をＡＥＳＢＰとし、その時刻のカフ容積脈波振幅をＡＰＶＲとし、前期反射波重畳開始点が基準波の最大振幅時刻より前の脈波上昇脚に存在する場合には、そのカフ容積脈波の前記反射波重畳開始点における振幅値をＡＰＶＲとし、上記基準波の前記反射波重畳開始点における振幅値をＡＥＳＢＰとして、その振幅比Ａｒａｔｉｏ（＝ＡＰＶＲ／ＡＥＳＢＰ）を求め、その振幅比Ａｒａｔｉｏを基準波ＰＶＲｂに乗算することで収縮期時相波ＰＶＲｓｙｓを生成する基準波補正部９６とを、含むものである。このため、収縮期末期圧ＥＳＢＰより低い圧迫圧力Ｐｃｕｆｆで得られたカフ容積脈波ＰＶＲにそれぞれ含まれる収縮期時相波ＰＶＲｓｙｓを容易に得ることができる。
【００５６】
また、本実施例の自動血圧測定装置１４によれば、拡張期合成波生成部９８は、共通の時間軸上で、圧迫圧力Ｐｃｕｆｆが生体の収縮期末期圧ＥＳＢＰ以下であるときに順次得られるカフ容積脈波ＰＶＲの形状（振幅）から、それぞれについて生成された収縮期時相波ＰＶＲｓｙｓの形状（振幅）をそれぞれ差し引くことで、それぞれの拡張期合成波ＰＶＲｄｉａを圧迫圧力Ｐｃｕｆｆの減少過程で順次生成させるものである。このため、時系列的に複数の拡張期合成波ＰＶＲｄｉａが容易に得られる。
【００５７】
また、本実施例の自動血圧測定装置１４によれば、最低血圧値決定部１００は、拡張期合成波生成部９８により生成された一連の拡張期合成波ＰＶＲｄｉａのうちの最大振幅を示す拡張期合成波ＰＶＲｄｉａの１つ後に発生したの拡張期合成波ＰＶＲｄｉａに対応する圧迫圧力Ｐｃｕｆｆを最低血圧値として決定するものである。このため、観血法すなわちカテーテルを用いた直接法を用いたコロトコフ音方式の血圧測定により得られた最低血圧値との相関性が一層高められ、傾向誤差の無い測定精度が得られる。
【００５８】
また、本実施例の自動血圧測定装置１４によれば、圧迫圧力Ｐｃｕｆｆの降下期間において逐次得られるカフ容積脈波ＰＶＲと前記収縮期末期圧ＥＳＢＰより低いカフ圧力ではカフ容積脈波にそれぞれ含まれる収縮期時相波からなる容積脈波の振幅値を結ぶエンベロープ（包絡線）の変曲点付近、或いは収縮期時相波の振幅をその最大脈振幅値で正規化した振幅比が所定の振幅比となる脈波に対応した圧迫圧力Ｐｃｕｆｆを最高血圧値ＳＢＰとして決定する最高血圧値決定部１０２を、含む。このため、カフ容積脈波の収縮期時相波成分を用いて最高血圧値を決定するので、前記カフ容積脈波の反射波が重畳した脈波形の振幅が増加しエンベロープに複数の変曲点が現れる場合や脈波形の最大振幅に反射波成分が含まれる状況下で最高血圧値ＳＢＰとして決定するオシロメトリック法により場合に比較して、最高血圧値ＳＢＰの精度が高められる。
【００５９】
以上、本発明の一実施例を図面を参照して詳細に説明したが、本発明はこの実施例に限定されるものではなく、別の態様でも実施され得る。
【００６０】
たとえば、前述の実施例の収縮期時相波生成部９０では、圧迫帯１２による圧迫圧力Ｐｃｕｆｆが収縮期末期圧ＥＳＢＰであるときに発生した容積脈波である収縮期末期圧容積脈波ＰＶＲＥＳＢＰより１つ前に発生した容積脈波を基準波ＰＶＲｂとしていた。しかし、この基準波ＰＶＲｂは、拡張期合成波ＰＶＲｄｉａ成分を含まない収縮期の代表的な正確な形状の容積脈波であればよいので、実用上問題のない僅かな精度の低下が許容されるのであれば、収縮期末期圧容積脈波ＰＶＲＥＳＢＰそのものを基準波ＰＶＲｂとしたり、収縮期末期圧容積脈波ＰＶＲＥＳＢＰより１つ後に発生した容積脈波を基準波ＰＶＲｂとしてもよい。要するに、収縮期末期圧容積脈波ＰＶＲＥＳＢＰに隣接する容積脈波或いは収縮期末期圧容積脈波ＰＶＲＥＳＢＰに連なる容積脈波を基準波ＰＶＲｂとしてもよい。
【００６１】
また、前述の実施例の最低血圧値決定部１００では、最低血圧値ＤＢＰの決定に際して、最大振幅をｄ有する拡張期合成波ＰＶＲｄｉａよりも１つ後で発生した拡張期合成波ＰＶＲｉａの発生時点の圧迫圧力Ｐｃｕｆｆを最低血圧値ＤＢＰとして決定していた。しかし、実用上問題のない僅かな精度の低下が許容されるのであれば、最大振幅を有する拡張期合成波ＰＶＲｄｉａの発生時点の圧迫圧力Ｐｃｕｆｆを最低血圧値ＤＢＰとして決定してもよい。
【００６２】
また、前述の実施例で用いられた圧迫帯１２は、独立して上腕１０を圧迫可能な上流側膨張袋２２、中間膨張袋２４および下流側膨張袋２６を備えたものであったが、単一の膨張袋を備えたものであってもよい。
【００６３】
また、前述の実施例では、カフ圧制御部８２は、上流側膨張袋２２、中間膨張袋２４、および下流側膨張袋２６の圧迫圧力値ＰＣをたとえば３〜５［ｍｍＨｇ／ｓｅｃ］程度の一定の速度で連続的に降圧させるものであったが、圧迫帯１２の圧迫圧力が一定値に維持される過程で脈波が採取されるようにするステップ降圧を行なうものであってもよい。
【００６４】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００６５】
１０：上腕（生体の被圧迫部位）
１２：圧迫帯
１４：自動血圧測定装置
１６：動脈
２４：中間膨張袋
ＤＢＰ：最低血圧値
ＳＢＰ：最高血圧値
Ｓｐｃ：カフ圧信号
Ｐｃｕｆｆ：圧迫圧力（カフ圧力）
ＰＶＲ：カフ容積脈波
ＰＶＲ’：カフ容積脈波の一次微分波
ＰＶＲ”：カフ容積脈波の二次微分波
ＥＳＢＰ：収縮期末期圧
ＰＶＲＥＳＢＰ：収縮期末期圧容積脈波
Ｐｒｓ：反射波重畳開始点
ＰＶＲｂ：基準波
ＰＶＲｓｙｓ：収縮期時相波
ＰＶＲｄｉａ：拡張期合成波
【図１】
2015198740.tif 000003
【図２】
2015198740.tif 000004
【図３】
2015198740.tif 000005
【図４】
2015198740.tif 000006
【図５】
2015198740.tif 000007
【図６】
2015198740.tif 000008
【図７】
2015198740.tif 000009
【図８】
2015198740.tif 000010
【図９】
2015198740.tif 000011
【図１０】
2015198740.tif 000012
【図１１】
2015198740.tif 000013
【図１２】
2015198740.tif 000014
【図１３】
2015198740.tif 000015
【図１４】
2015198740.tif 000016
【図１５】
2015198740.tif 000017
【図１６】
2015198740.tif 000018
【図１７】
2015198740.tif 000019
【図１８】
2015198740.tif 000020
【図１９】
2015198740.tif 000021
【図２０】
2015198740.tif 000022
【図２１】
2015198740.tif 000023
【図２２】
2015198740.tif 000024
【図２３】
2015198740.tif 000025